(57)【要約】【課題】本発明は１乃至１００μm等の厚さの金属箔を、容易に象形裁断加工が実施でき、確実に転移できる方法を提供するにある。【解決手段】本発明は、金属箔の下面に接着力の弱い天然素材の吸着剤層を設け、象形裁断・及び転移に耐えうる強度に補強する為の部材を金属箔を吸着させる事を特徴とするものである。【選択図】図１
2008062505.tif 000002
【特許請求の範囲】
【請求項１】
極めて薄い金箔・銀箔等の金属箔を、食品添加物として認められている純度の高い蜜蝋などを接着剤として剥離部材に塗布し吸着させ、人体や食品、食器、被服等を含む転移対象物の所望箇所に加熱や接着剤を必要とせずに少量の圧、もしくは少量の水分などにより貼着し転移することを特徴とする金属箔の転移の方法。
【請求項２】
極めて薄い金箔・銀箔等の金属箔を、食品添加物として認められている天然素材の蝋を接着剤として使用し、剥離部材と接着させ、保護部材で挟み、任意の文字・文様等の形に象形裁断した後、文字・文様等に象形された金属箔を、人体や食品、食器、被服等を含む転移対象物に完全に転移することを特徴とする金属箔の転移の方法。
【請求項３】
極めて薄い金箔・銀箔等の金属箔は、長い期間ひとつの部材に貼着させておくと、その部材に完全に吸着してしまい、転移することが不可能になってしまう事があるが、粘着力の弱い純度の高い蜜蝋を接着剤として使用することにより、長期間剥離部材に貼着しておいても金属箔を人体や食品、食器、被服等を含む転移対象物に転移することが可能であることを特徴とする金属箔の転移の方法。
【発明の詳細な説明】
【技術分野】
【０００１】
食品添加物として認められている部材を接着剤として利用することにより、極めて薄い金属箔の従来の利用分野である、屏風、襖、陶磁器、室内装飾用置物、洋服、コート、帯、ネクタイ、帽子等の被服、織物、絵画紙、書籍の装幀その他印刷物等所望の転移対象物等はもとより、今までできなかった人体や食品等の転移対象物にも、容易に転移できる方法に関する。
【背景技術】
【０００２】
従来における金属箔を転移する方法は、一般的には転移対象物の文様部等転移箇所に下地として接着剤を塗布し、そこに平箔（紙の上に漆を接着剤として用い、その上に金箔を置き接着させたもの）を載置して貼着していた。
これを使用しての金属箔の転移の方法は、転移対象物に限界があり、人体や食品などには転移できないものである。
【０００３】
特許公開平１１−４２８９４、特許公開平１０−４８９１、特許公開平９−２８３１３等に公開されている、可食フィルム等に貼着させた金属箔を転移対象物に載置する方法は、用途が食用のみに限られてしまう。
【０００４】
又、竹製のピンセット等で金属箔を転移対象物に載置する金属箔の転移の方法は、高度な技術、専門知識を持っていなければ、転移対象物に対して任意の文様で転移することができないものである。
【０００５】
箔の裏に糊付を施して行う、いわゆる載金などにおける金属小箔自体をそのまま転移する場合において、１乃至１００μm程度の極薄の金属小箔を転移することは技術上極めて困難で、該小箔の飛散を防止しながら完全に転移させるためには高度の熟練を要した。
【０００６】
又、従来書籍の装軸等に金属箔を転写するために蒸着転写箔なるものが開発されているが、この物は基材のポリエステルフィルムに３〜５層の樹脂コート及び金属蒸着等を施してロール状に巻取ったもので、所望の形に彫刻した金版等ホットスタンピングプレス機により加熱して圧しつけなければならず、プレス機、彫刻金版等を必要とし、これら機械器具がなければ容易に転写することができないものであって、これを使用しての金属小箔転移の方法は、これを適用できる転移対象物の範囲に限界があり、殊に人体や食品、食器には利用できないものである
【０００７】
又、あかうつし紙と呼ばれる紙を使用し、転移することができるが、現存するあかうつし紙は長期間金箔を貼着しておくと、あかうつし紙に金箔が吸着し剥離しなくなる事がある為、剥離性に大きな差がある。
【０００８】
又、静電気を除去したテトロンフィルムを使用した転移方法もあるが、これを利用した場合、象形裁断の際に金箔が破損したり、転移の際に金箔が破損する事が多くある為、実用性に大きな差がある。
【０００９】
特許公開平５−３１８９８８に記される極薄金属小箔の転移の方法などの場合は、接着剤を使用しているため、人体及び食品などに転移することはできず、また、熱を加える事を必要としている為、利用が大幅に制限される。
【００１０】
特許出願平１１−７２４７３金箔によるパック美顔方法に記される方法の場合、接着剤にパラフィンを使用している為、人体及び皮膚に悪影響を及ぼす恐れがある。
【発明の開示】
【発明が解決しようとする課題】
【００１１】
本発明は、金属箔を人体や食品、食器、被服等に転移するに当たり、金箔の持つ特異性を損なわず、また転移対象物にとって妨げとなる素材を使用せず、また転移対象物が価値を損なうような転移方法を用いず、かつ機械器具も要せずして、長期保存を可能とし、未熟練者でも手作業で容易に転移できる方法を開発し、前記従来技術の難欠点を解消せんとすることにある。
【課題を解決するための手段】
【００１２】
そこで本出願人においては、種々実験を重ねた結果、１乃至１００μm等の厚さの金・銀などの金属箔を、剥離部材として使用している紙の表面に剥離性の高い弱粘性接着剤として、食品添加物として認められている純度の高い固形状の蜜蝋を擦り当て塗布し、金属箔と剥離部材を接着、その金属箔の露出している面に保護部材として紙を載置する。
その後、任意の文字・文様等の形に象形裁断された金属箔を、人体や食品、食器、被服、屏風、襖、陶磁器、室内装飾用置物、洋服、コート、帯、ネクタイ、帽子等の被服、織物、絵画紙、書籍の装幀その他印刷物等を含む転移対象物の所望箇所に、表面が滑らかな転移対象物の場合は、指で押す程度の少量の圧を加え、滑らかなものでない場合、事前に少量の湿気を持たせ貼着し転移する方法を開発するに至った。
また極めて薄い金・銀箔等の金属箔は、長期間ひとつの部材に貼着させておくと、その部材に完全に吸着してしまい、転移することが不可能になってしまう事があるが、今回開発された方法の場合長期間貼着し保存しておいても金属箔を人体や食品、食器、被服等を含む転移対象物に転移することが可能であることも確認された。
【発明の効果】
【００１３】
この発明において、金属箔を転移するに際し、転移対象物に貼着の為の下地に漆やワニスを用いる事を要しないので、作業中に手がかぶれる等の傷害をおこす恐れがない。
【００１４】
この発明において、金属箔をいったん弱粘性ではあるが、剥離部材に接着させるものである為、金箔の飛散や破れが起こりにくい
【００１５】
この発明において、金属箔が剥離部材、保護部材に挟まれている為、金属箔に対する専門知識、高度な技術が無くとも、また、特別な器具を使わずに象形裁断を行うことができるものである。
【００１６】
この発明における金属箔の転移は、専門知識、高度な技術がなくとも、また、特別な器具を要することなく、容易に転移を行うことができるものである。
【００１７】
この発明における転移技術を応用すれば、今までは、金属箔は他部材と接着してしまう為、加工したもののみが商品化されていたが、金属箔本来の使用法を残した商品を製造することができるものである。
【００１８】
この発明における金属箔の転移に使用する、表面に蜜蝋を擦り当て塗布した剥離部材は繰り返し利用することができるものである。
【００１９】
この発明においては、金属箔と剥離部材を蜜蝋で接着させたまま、長期保存ができるものである。
【発明を実施するための最良の形態】
【００２０】
次に本発明の一実施例を図面に基いて説明する。
和紙（１）の表面に、純度１００％の蜜蝋（２）を塗布し、その上に１万分の１ｍｍ乃至１万分の２ｍｍの金箔（３）を乗置、吸着させ和紙（４）で挟み、トムソン打ち抜き機にて任意の形（５）に象形裁断した後、保護紙を剥がし転移対象物に金属箔面を当て軽く押さえながら密着させ転移させた。
【００２１】
剥離部材にあかうつし紙を用い金属箔を吸着させ、保護部材で金属箔を保護し、常時約2.5kgの圧力を一定期間かけ続けた後、転移対象物として用意したあかうつし紙に破損することなく金属箔を転移できるかを調べた結果（表１）の結果となる為、あかうつし紙は本発明の剥離部材には使用できない。
【００２２】
【表１】
2008062505.tif 000003
記号の説明、◎＝転移した  ○＝転移するが破損が若干見られる  △＝転移するが多くの破損が見られる  ×＝転移しない
【００２３】
剥離部材にテトロンフィルムを用い金属箔を吸着させ、保護部材で金属箔を保護しながら、常時約2.5kgの圧力を一定期間かけ続けた後、転移対象物として用意したあかうつし紙に破損することなく金属箔を転移できるかを調べた結果（表２）の結果となる為、テトロンフィルムは本発明の剥離部材には使用できない。
【００２４】
【表２】
2008062505.tif 000004
記号の説明、◎＝転移した  ○＝転移するが破損が若干見られる  △＝転移するが多くの破損が見られる  ×＝転移しない
【００２５】
剥離部材にパラフィン紙シリコンコーティングを用い金属箔を吸着させ、保護部材で金属箔を保護しながら、常時約2.5kgの圧力を一定期間かけ続けた後、転移対象物として用意したあかうつし紙に破損することなく金属箔を転移できるかを調べた結果剥離する様子がまったく見られず、完全に金属箔がパラフィン紙シリコンコーティングに接着してしまう為、本発明の剥離部材には使用できない。
【００２６】
剥離部材と金属箔の接着剤に申請の対象の蜜蝋を接着剤として用い保護部材で金属箔を保護しながら、常時約2.5kgの圧力を一定期間かけ続けた後、転移対象物として用意したあかうつし紙に破損することなく金属箔を転移できるかを調べた結果（表３）の結果となる為、蜜蝋は本発明の接着剤に適している。
【００２７】
【表３】
2008062505.tif 000005
記号の説明、◎＝転移した  ○＝転移するが破損が若干見られる  △＝転移するが多くの破損が見られる  ×＝転移しない
【００２８】
剥離部材にあかうつし紙を用い金属箔を吸着させ、保護部材で金属箔を保護しながら、常時約2.5kgの圧力を一定期間かけ続けた後、転移対象物の人体に破損することなく金属箔を転移できるかを調べた結果（表４）の結果となる為、あかうつし紙は本発明の人体の転移方法の剥離部材には適している。
【００２９】
【表４】
2008062505.tif 000006
記号の説明、◎＝転移した  ○＝転移するが破損が若干見られる  △＝転移するが多くの破損が見られる  ×＝転移しない
【００３０】
剥離部材にテトロンフィルムを用い金属箔を吸着させ、保護部材で金属箔を保護しながら、常時約2.5kgの圧力を一定期間かけ続けた後、転移対象物の人体に破損することなく金属箔を転移できるかを調べた結果（表５）の結果となる為、テトロンフィルムは本発明の剥離部材には使用できない。
【００３１】
【表５】
2008062505.tif 000007
記号の説明、◎＝転移した  ○＝転移するが破損が若干見られる  △＝転移するが多くの破損が見られる  ×＝転移しない
【００３２】
剥離部材にパラフィン紙シリコンコーティングを用い金属箔を吸着させ、保護部材で金属箔を保護しながら、常時約2.5kgの圧力を一定期間かけ続けた後、転移対象物の人体に破損することなく金属箔を転移できるかを調べた結果、剥離する様子がまったく見られず、完全に金属箔がパラフィン紙シリコンコーティングに接着してしまっていた為、パラフィン紙シリコンコーティングは剥離部材に使用できない。
【００３３】
剥離部材と金属箔の接着剤に申請の対象の蜜蝋を接着剤として用い保護部材で金属箔を保護しながら、常時約2.5kgの圧力を一定期間かけ続けた後、転移対象物の人体に破損することなく金属箔を転移できるかを調べた結果（表６）の結果となる為、蜜蝋は本発明の接着剤に適している。
【００３４】
【表６】
2008062505.tif 000008
記号の説明、◎＝転移した  ○＝転移するが破損が若干見られる  △＝転移するが多くの破損が見られる  ×＝転移しない
【００３５】
剥離部材と金属箔の接着剤にパラフィン系の蝋を接着剤として用いた結果、人体に金属箔を転移した場合、２０代女性、２０代男性ともに肌に異常が見られた為、パラフィン系の蝋は接着剤として使用できない。
【００３６】
剥離部材と金属箔の接着剤に椿油を用いた結果、金属箔が剥離し難く、接着剤として使用できない。
【００３７】
剥離部材にテトロンフィルムを用い金属箔を吸着させ、保護部材で金属箔を保護しながら、象形裁断を行った場合。
保護部材を剥離する際に破損が見られた。
【産業上の利用可能性】
【００３８】
本発明は、金属箔を所望の転移対象物に転移せしめる場合において既述するとおりの作用効果を有し、下地に漆、ワニス等を用いることなく、特別の機械器具も要せず、未熟練者でも手作業で容易に作業でき、手等の皮膚を冒されるおそれもなく、金箔の本来の利用法を可能にしながらも資材節約による経済的効果及び省力的効果大なるものがある。
【００３９】
この発明においては、従来技術では転移することができなかった人体、食品、食器にも利用し得る効果がある。
【００４０】
又、この発明によれば転移作業中、金銀箔等の金属小箔を飛散させて無駄に消費することを防止でき、かつその転移貼着の仕上りも綺麗にできる効果がある。
【００４１】
従って、本発明は最近の金属箔加工業者、一般需要者のニーズに応える事ができ、新たな利用分野の開発に多大に貢献し得る、金属箔の転移の方法である。
【図面の簡単な説明】
【００４２】
【図１】本発明による実施例における金属箔の転移貼着方法を示す断面図
【図２】本発明による実施例における象形裁断の型を示す図
【符号の説明】
【００４３】
１  和紙（剥離部材）
２  蜜蝋
３  金箔
４  和紙（保護部材）
５  トムソン顔型
【図１】
2008062505.tif 000009
【図２】
2008062505.tif 000010